【手続補正書】
【提出日】令和2年8月18日(2020.8.18)
【手続補正１】
【補正対象書類名】特許請求の範囲
【補正対象項目名】全文
【補正方法】変更
【補正の内容】
【特許請求の範囲】
【請求項１】
無線通信システムにおける端末によって行われる方法であって、
第１サービングセルのタイムスロットの長さを示すための第１情報を識別するステップと、
第２サービングセルのタイムスロットの長さを示すための第２情報を識別するステップと、
前記第１情報及び前記第２情報に基づいて、前記第２サービングセルの複数のタイムスロットのうちの、前記第１サービングセルのタイムスロットに完全に重なり合う（ｆｕｌｌｙ  ｏｖｅｒｌａｐｓ）１番目のタイムスロットを識別するステップと、
前記第１サービングセルのタイムスロットで、前記第２サービングセルの前記１番目のタイムスロットに対するＰＨＲ（ｐｏｗｅｒ  ｈｅａｄｒｏｏｍ  ｒｅｐｏｒｔ）を基地局に送信するステップと、を有し、
前記第１サービングセルのタイムスロットの長さは、前記第２サービングセルのタイムスロットの長さよりも長く、
前記第１サービングセルのタイムスロットは、前記第２サービングセルの複数のタイムスロットに重なり合うことを特徴とする方法。
【請求項２】
前記第２サービングセルの複数のタイムスロットのうちの前記１番目のタイムスロットを識別するステップは、
前記端末が前記第１サービングセル及び前記第２サービングセルを含む複数のセルで構成されることを識別するステップと、
前記第１情報及び前記第２情報に基づいて前記第１サービングセルを識別するステップと、を含むことを特徴とする請求項１に記載の方法。
【請求項３】
前記第２サービングセルの複数のタイムスロットのうちの前記１番目のタイムスロットを識別するステップは、
前記ＰＨＲを提供するために、前記第２サービングセルの複数のタイムスロットに重なり合う前記第１サービングセルのタイムスロットを識別するステップと
前記第１サービングセルのタイムスロットに完全に重なり合う前記第２サービングセルの複数のタイムスロットのうちの最も１番目に位置するタイムスロットと前記１番目のタイムスロットとを識別するステップと、を含むことを特徴とする請求項１に記載の方法。
【請求項４】
前記第１情報を含む第１構成を上位層シグナリングによって受信するステップと、
前記第２情報を含む第２構成を上位層シグナリングによって受信するステップと、を更に含み、
前記ＰＨＲは、ＰＵＳＣＨ（ｐｈｙｓｉｃａｌ  ｕｐｌｉｎｋ  ｓｈａｒｅｄ  ｃｈａｎｎｅｌ）に基づいて送信されることを特徴とする請求項１に記載の方法。
【請求項５】
計算方法に基づいて前記ＰＨＲのＰＨ（ｐｏｗｅｒ  ｈｅａｄｒｏｏｍ）を決定するステップを更に含み、
前記計算方法は、ＰＵＳＣＨ（ｐｈｙｓｉｃａｌ  ｕｐｌｉｎｋ  ｓｈａｒｅｄ  ｃｈａｎｎｅｌ）送信をスケジューリングするためのＤＣＩ（ｄｏｗｎｌｉｎｋ  ｃｏｎｔｒｏｌ  ｉｎｆｏｒｍａｔｉｏｎ）に基づいて前記ＰＨを決定するための第１計算方法、及び基本設定（ｄｅｆａｕｌｔ  ｃｏｎｆｉｇｕｒａｔｉｏｎ）に基づいて前記ＰＨを決定するための第２計算方法のうちの１つであることを特徴とする請求項１に記載の方法。
【請求項６】
前記ＤＣＩが受信されたか否かによって前記ＰＵＳＣＨ送信がスケジューリングされたか否かを決定するステップと、
前記ＰＵＳＣＨ送信がスケジューリングされたと決定された場合、前記計算方法を前記第１計算方法に決定するステップと、
前記ＰＵＳＣＨ送信がスケジューリングされなかったと決定された場合、前記計算方法を前記第２計算方法に決定するステップと、を更に含むことを特徴とする請求項５に記載の方法。
【請求項７】
前記計算方法が前記第１計算方法に決定された場合、前記ＰＨは、最大送信電力（ｍａｘｉｍｕｍ  ｔｒａｎｓｍｉｔｔｉｎｇ  ｐｏｗｅｒ）、電力オフセット（ｐｏｗｅｒ  ｏｆｆｓｅｔ）、経路損失補償レート（ｃｏｍｐｅｎｓａｔｉｎｇ  ｒａｔｅ）、経路損失セット（ｐａｔｈ  ｌｏｓｓ  ｓｅｔ）、電力制御の累積値（ａｃｃｕｍｕｌａｔｉｖｅ  ｖａｌｕｅ  ｆｏｒ  ｐｏｗｅｒｃｏｎｔｒｏｌ）、及び前記ＤＣＩによって識別されたＰＵＳＣＨ送信のためのＰＲＢ（ｐｈｙｓｉｃａｌ  ｒｅｓｏｕｒｃｅ  ｂｌｏｃｋ）の個数に基づいて決定され、
前記計算方法が前記第２計算方法に決定された場合、前記ＰＨは、前記基本設定によって設定された最大送信電力、前記基本設定によって設定された電力オフセット、前記基本設定によって設定された経路損失補償レート、前記基本設定によって設定された経路損失セット、及び前記基本設定によって設定された電力制御の累積値に基づいて決定されることを特徴とする請求項５に記載の方法。
【請求項８】
無線通信システムにおける基地局によって行われる方法であって、
第１サービングセルのタイムスロットの長さを示すための第１情報を送信するステップと、
第２サービングセルのタイムスロットの長さを示すための第２情報を送信するステップと、
前記第１サービングセルのスロットで、前記第２サービングセルの複数のタイムスロットのうちの、前記第１サービングセルのタイムスロットに完全に重なり合う（ｆｕｌｌｙ  ｏｖｅｒｌａｐｓ）１番目のタイムスロットに対するＰＨＲ（ｐｏｗｅｒ  ｈｅａｄｒｏｏｍ  ｒｅｐｏｒｔ）を端末から受信するステップと、を有し、
前記第１サービングセルのタイムスロットの長さは前記第２サービングセルのタイムスロットの長さよりも長く、
前記第２サービングセルの前記１番目のタイムスロットは、前記第１情報及び前記第２情報に基づいて識別され、
前記第１サービングセルのタイムスロットは、前記第２サービングセルの複数のタイムスロットに重なり合うことを特徴とする方法。
【請求項９】
前記第２サービングセルの前記１番目のタイムスロットは、前記第１サービングセルのタイムスロットに完全に重なり合う前記第２サービングセルのタイムスロットのうちの最も１番目に位置することを特徴とする請求項８に記載の方法。
【請求項１０】
前記第１情報を含む第１構成は、前記端末により、上位層シグナリングによって受信され、
前記第２情報を含む第２構成は、前記端末により、上位層シグナリングによって受信されることを特徴とする請求項８に記載の方法。
【請求項１１】
前記ＰＨＲは、計算方法に基づいて決定されるＰＨ（ｐｏｗｅｒ  ｈｅａｄｒｏｏｍ）を含み、
前記計算方法は、前記端末により、ＰＵＳＣＨ（ｐｈｙｓｉｃａｌ  ｕｐｌｉｎｋ  ｓｈａｒｅｄ  ｃｈａｎｎｅｌ）送信をスケジューリングするためのＤＣＩ（ｄｏｗｎｌｉｎｋ  ｃｏｎｔｒｏｌ  ｉｎｆｏｒｍａｔｉｏｎ）に基づいて前記ＰＨを決定するための第１計算方法、及び基本設定（ｄｅｆａｕｌｔ  ｃｏｎｆｉｇｕｒａｔｉｏｎ）に基づいて前記ＰＨを決定するための第２計算方法のうちの１つであることを特徴とする請求項８に記載の方法。
【請求項１２】
前記計算方法は、前記端末により、前記ＰＵＳＣＨ送信がスケジューリングされたか否かによって決定され、
前記ＰＵＳＣＨ送信がスケジューリングされたか否かは、前記端末により、前記ＤＣＩが受信されたか否かによって決定されることを特徴とする請求項１１に記載の方法。
【請求項１３】
前記計算方法が前記第１計算方法に決定された場合、前記ＰＨは、最大送信電力（ｍａｘｉｍｕｍ  ｔｒａｎｓｍｉｔｔｉｎｇ  ｐｏｗｅｒ）、電力オフセット（ｐｏｗｅｒ  ｏｆｆｓｅｔ）、経路損失補償レート（ｃｏｍｐｅｎｓａｔｉｎｇ  ｒａｔｅ）、経路損失セット（ｐａｔｈ  ｌｏｓｓ  ｓｅｔ）、電力制御の累積値（ａｃｃｕｍｕｌａｔｉｖｅ  ｖａｌｕｅ  ｆｏｒ  ｐｏｗｅｒ  ｃｏｎｔｒｏｌ）、及び前記ＤＣＩによって識別されたＰＵＳＣＨ送信のためのＰＲＢ（ｐｈｙｓｉｃａｌ  ｒｅｓｏｕｒｃｅ  ｂｌｏｃｋ）の個数に基づいて決定され、
前記計算方法が前記第２計算方法に決定された場合、前記ＰＨは、前記基本設定によって設定された最大送信電力、前記基本設定によって設定された電力オフセット、前記基本設定によって設定された経路損失補償レート、前記基本設定によって設定された経路損失セット、及び前記基本設定によって設定された電力制御の累積値に基づいて決定されることを特徴とする請求項１１に記載の方法。
【請求項１４】
無線通信システムにおける端末であって、
少なくとも１つの送受信機と、
少なくとも１つのプロセッサと、を備え、
前記少なくとも１つのプロセッサは、
第１サービングセルのタイムスロットの長さを示すための第１情報を識別し、
第２サービングセルのタイムスロットの長さを示すための第２情報を識別し、
前記第１情報及び前記第２情報に基づいて、前記第２サービングセルの複数のタイムスロットのうちの、前記第１サービングセルのタイムスロットに完全に重なり合う（ｆｕｌｌｙ  ｏｖｅｒｌａｐｓ）１番目のタイムスロットを識別し、
前記第１サービングセルのタイムスロットで、前記第２サービングセルの前記１番目のタイムスロットに対するＰＨＲ（ｐｏｗｅｒ  ｈｅａｄｒｏｏｍ  ｒｅｐｏｒｔ）を基地局に送信するように構成され、
前記第１サービングセルのタイムスロットの長さは、前記第２サービングセルのタイムスロットの長さよりも長く、
前記第１サービングセルのタイムスロットは、前記第２サービングセルの複数のタイムスロットに重なり合うことを特徴とする端末。
【請求項１５】
前記少なくとも１つのプロセッサは、
前記第２サービングセルの複数のタイムスロットのうちの前記１番目のタイムスロットを識別する際に、
前記端末が前記第１サービングセル及び前記第２サービングセルを含む複数のセルで構成されることを識別し、
前記第１情報及び前記第２情報に基づいて前記第１サービングセルを識別するように構成されることを特徴とする請求項１４に記載の端末。
【請求項１６】
前記少なくとも１つのプロセッサは、
前記第２サービングセルの複数のタイムスロットのうちの前記１番目のタイムスロットを識別する際に、
前記ＰＨＲを提供するために、前記第２サービングセルの複数のタイムスロットに重なり合う前記第１サービングセルのタイムスロットを識別し、
前記第１サービングセルのタイムスロットに完全に重なり合う前記第２サービングセルの複数のタイムスロットのうちの最も１番目に位置するタイムスロットと前記１番目のタイムスロットとを識別するように構成されることを特徴とする請求項１４に記載の端末。
【請求項１７】
前記少なくとも１つのプロセッサは、
前記第１情報を含む第１構成を上位層シグナリングによって受信し、
前記第２情報を含む第２構成を上位層シグナリングによって受信するように更に構成され、
前記ＰＨＲは、ＰＵＳＣＨ（ｐｈｙｓｉｃａｌ  ｕｐｌｉｎｋ  ｓｈａｒｅｄ  ｃｈａｎｎｅｌ）に基づいて送信されることを特徴とする請求項１４に記載の端末。
【請求項１８】
前記少なくとも１つのプロセッサは、
計算方法に基づいて前記ＰＨＲのＰＨ（ｐｏｗｅｒ  ｈｅａｄｒｏｏｍ）を決定するように更に構成され、
前記計算方法は、ＰＵＳＣＨ（ｐｈｙｓｉｃａｌ  ｕｐｌｉｎｋ  ｓｈａｒｅｄ  ｃｈａｎｎｅｌ）送信をスケジューリングするためのＤＣＩ（ｄｏｗｎｌｉｎｋ  ｃｏｎｔｒｏｌ  ｉｎｆｏｒｍａｔｉｏｎ）に基づいて前記ＰＨを決定するための第１計算方法、及び基本設定（ｄｅｆａｕｌｔ  ｃｏｎｆｉｇｕｒａｔｉｏｎ）に基づいて前記ＰＨを決定するための第２計算方法のうちの１つであることを特徴とする請求項１４に記載の端末。
【請求項１９】
前記少なくとも１つのプロセッサは、
前記ＤＣＩが受信されたか否かによって前記ＰＵＳＣＨ送信がスケジューリングされたか否かを決定し、
前記ＰＵＳＣＨ送信がスケジューリングされたと決定された場合、前記計算方法を前記第１計算方法に決定し、
前記ＰＵＳＣＨ送信がスケジューリングされなかったと決定された場合、前記計算方法を前記第２計算方法に決定するように更に構成されることを特徴とする請求項１８に記載の端末。
【請求項２０】
前記計算方法が前記第１計算方法に決定された場合、前記ＰＨは、最大送信電力（ｍａｘｉｍｕｍ  ｔｒａｎｓｍｉｔｔｉｎｇ  ｐｏｗｅｒ）、電力オフセット（ｐｏｗｅｒ  ｏｆｆｓｅｔ）、経路損失補償レート（ｃｏｍｐｅｎｓａｔｉｎｇ  ｒａｔｅ）、経路損失セット（ｐａｔｈ  ｌｏｓｓ  ｓｅｔ）、電力制御の累積値（ａｃｃｕｍｕｌａｔｉｖｅ  ｖａｌｕｅ  ｆｏｒ  ｐｏｗｅｒ  ｃｏｎｔｒｏｌ）、及び前記ＤＣＩによって識別されたＰＵＳＣＨ送信のためのＰＲＢ（ｐｈｙｓｉｃａｌ  ｒｅｓｏｕｒｃｅ  ｂｌｏｃｋ）の個数に基づいて決定され、
前記計算方法が前記第２計算方法に決定された場合、前記ＰＨは、前記基本設定によって設定された最大送信電力、前記基本設定によって設定された電力オフセット、前記基本設定によって設定された経路損失補償レート、前記基本設定によって設定された経路損失セット、及び前記基本設定によって設定された電力制御の累積値に基づいて決定されることを特徴とする請求項１８に記載の端末。
【請求項２１】
無線通信システムにおける基地局であって、
少なくとも１つの送受信機と、
少なくとも１つのプロセッサと、を備え、
前記少なくとも１つのプロセッサは、
第１サービングセルのタイムスロットの長さを示すための第１情報を送信し、
第２サービングセルのタイムスロットの長さを示すための第２情報を送信し、
前記第１サービングセルのスロットで、前記第２サービングセルの複数のタイムスロットのうちの、前記第１サービングセルのタイムスロットに完全に重なり合う（ｆｕｌｌｙ  ｏｖｅｒｌａｐｓ）１番目のタイムスロットに対するＰＨＲ（ｐｏｗｅｒ  ｈｅａｄｒｏｏｍ  ｒｅｐｏｒｔ）を端末から受信するように構成され、
前記第１サービングセルのタイムスロットの長さは前記第２サービングセルのタイムスロットの長さよりも長く、
前記第２サービングセルの前記１番目のタイムスロットは、前記第１情報及び前記第２情報に基づいて識別され、
前記第１サービングセルのタイムスロットは、前記第２サービングセルの複数のタイムスロットに重なり合うことを特徴とする基地局。
【請求項２２】
前記第２サービングセルの前記１番目のタイムスロットは、前記第１サービングセルのタイムスロットに完全に重なり合う前記第２サービングセルのタイムスロットのうちの最も１番目に位置することを特徴とする請求項２１に記載の基地局。
【請求項２３】
前記第１情報を含む第１構成は、前記端末により、上位層シグナリングによって受信され、
前記第２情報を含む第２構成は、前記端末により、上位層シグナリングによって受信されることを特徴とする請求項２１に記載の基地局。
【請求項２４】
前記ＰＨＲは、計算方法に基づいて決定されるＰＨ（ｐｏｗｅｒ  ｈｅａｄｒｏｏｍ）を含み、
前記計算方法は、前記端末により、ＰＵＳＣＨ（ｐｈｙｓｉｃａｌ  ｕｐｌｉｎｋ  ｓｈａｒｅｄ  ｃｈａｎｎｅｌ）送信をスケジューリングするためのＤＣＩ（ｄｏｗｎｌｉｎｋ  ｃｏｎｔｒｏｌ  ｉｎｆｏｒｍａｔｉｏｎ）に基づいて前記ＰＨを決定するための第１計算方法、及び基本設定（ｄｅｆａｕｌｔ  ｃｏｎｆｉｇｕｒａｔｉｏｎ）に基づいて前記ＰＨを決定するための第２計算方法のうちの１つであることを特徴とする請求項２１に記載の基地局。
【請求項２５】
前記計算方法は、前記端末により、前記ＰＵＳＣＨ送信がスケジューリングされたか否かによって決定され、
前記ＰＵＳＣＨ送信がスケジューリングされたか否かは、前記端末により、前記ＤＣＩが受信されたか否かによって決定されることを特徴とする請求項２４に記載の基地局。
【請求項２６】
前記計算方法が前記第１計算方法に決定された場合、前記ＰＨは、最大送信電力（ｍａｘｉｍｕｍ  ｔｒａｎｓｍｉｔｔｉｎｇ  ｐｏｗｅｒ）、電力オフセット（ｐｏｗｅｒ  ｏｆｆｓｅｔ）、経路損失補償レート（ｃｏｍｐｅｎｓａｔｉｎｇ  ｒａｔｅ）、経路損失セット（ｐａｔｈ  ｌｏｓｓ  ｓｅｔ）、電力制御の累積値（ａｃｃｕｍｕｌａｔｉｖｅ  ｖａｌｕｅ  ｆｏｒ  ｐｏｗｅｒ  ｃｏｎｔｒｏｌ）、及び前記ＤＣＩによって識別されたＰＵＳＣＨ送信のためのＰＲＢ（ｐｈｙｓｉｃａｌ  ｒｅｓｏｕｒｃｅ  ｂｌｏｃｋ）の個数に基づいて決定され、
前記計算方法が前記第２計算方法に決定された場合、前記ＰＨは、前記基本設定によって設定された最大送信電力、前記基本設定によって設定された電力オフセット、前記基本設定によって設定された経路損失補償レート、前記基本設定によって設定された経路損失セット、及び前記基本設定によって設定された電力制御の累積値に基づいて決定されることを特徴とする請求項２４に記載の基地局。